(57)【要約】  【課題】美しく診断に役立つ口腔内規格写真を撮影するためには高度の熟練が必要であった。さらに、撮影に長時間を要し、患者の苦痛が大きいという課題があった。  【構成】口腔内規格写真を撮影するディジタルカメラにおいて、前記口腔内規格写真の組写真の各撮影部位の撮影画像を該ディジタルカメラの表示装置に表示すると共に、前記撮影部位の撮影に適した指標を該表示装置に重畳表示可能にし、かつ、前記指標は口腔内規格写真に要請される要件を満たし、前記口腔内規格写真の撮影を容易にするための指標であることを特徴とする。【選択図】  図１
2010284428.tif 000002
【特許請求の範囲】
【請求項１】
口腔内規格写真を撮影するディジタルカメラにおいて、
前記口腔内規格写真の組写真の各撮影部位の撮影画像を該ディジタルカメラの表示装置に表示すると共に、前記撮影部位の撮影に適した指標を該表示装置に重畳表示可能にしたことを特徴とする口腔内規格写真撮影用カメラ。
【請求項２】
前記指標は口腔内規格写真に要請される要件を満たし、前記口腔内規格写真の撮影を容易にするための指標であって、水平線、垂直線、又は半楕円形状の曲線等の線分で構成される指標からなることを特徴とする請求項１に記載の口腔内規格写真撮影用カメラ。
【請求項３】
前記指標は前記撮影カメラの内部メモリに記録されており、選択手段により選択して表示できることを特徴とする前記請求項１又は請求項２の何れか１に記載の口腔内規格写真撮影用カメラ。
【請求項４】
前記撮影カメラに撮影倍率設定手段を設け、前記指標は設定された撮影倍率が一様な倍率となるように指標を拡大又は縮小して表示するように構成したことを特徴とする前記請求項１〜請求項３の何れか１に記載の口腔内規格写真撮影用カメラ。
【請求項５】
前記指標は過去に撮影した同一患者の歯の撮影画像であることを特徴とする請求項１に記載の口腔内規格写真撮影用カメラ。
【請求項６】
前記指標は、外部のメモリに記録されており、無線伝送して前記表示装置に表示することを特徴とする前記請求項５に記載の歯科用撮影カメラ。
【請求項７】
前記カメラで撮影された写真データは外部の計算機に無線送信されることを特徴とする前記請求項１〜請求項６の何れか１に記載の歯科用撮影カメラ。
【請求項８】
前記指標は組写真の撮影順番に合わせて表示するようにしたことを特徴とする前記請求項１〜請求項７の何れか１に記載の歯科用撮影カメラ。
【発明の詳細な説明】
【技術分野】
【０００１】
本発明は口腔内規格写真を撮影する撮影カメラの技術分野に属する。
【背景技術】
【０００２】
従来から口腔内写真は歯科医師にとって、診断を容易にしたり、治療効果を確認したり、リスク要因の把握、患者のホームケアの程度、治療に対する患者の理解度や協力度をチェックする目的等のために撮影されてきた。さらに、前記した目的を向上させるために、口腔内を部位ごとに分けて複数枚の写真を撮影し、撮影部位ごとの写真を整列して配置し、１つの組写真とした口腔内規格写真が採用される様になった。口腔内規格写真に要求される基本要素は３個あり、各口腔写真の撮影倍率、１組の写真の枚数、及び、各口腔写真の撮影部位がある。また、口腔内規格写真は定まった順序で配置されるので、各口腔内写真間の関連を知っておくことが望ましい。
【非特許文献１】新口腔内写真の撮り方、熊谷崇他共著、医歯薬出版株式会社、２００７年９月出版
【０００３】
撮影倍率には、（１／２）倍か（１／１．２）倍の何れか、もしくはその組み合わせになっている。（１／２）倍は口腔内全域を撮影する際の倍率で、口腔内の現状の確認、プラークコントローラの大まかな把握、歯列、歯合状態を知ることを目的としている。（１／１．２）倍は歯数で４〜５本を撮影する際の倍率で、口腔内の各部位の拡大写真です。歯肉の状態を観察する際の必須の倍率です。組の写真枚数は、目的に応じて５枚、９枚、１２枚、１４枚が選択される。これは、写真から実際に見える口腔内の立体の状態を容易に浮かび上がらせるためです。撮影部位は術後の治療効果を評価する際に定めておく必要があります。撮影枚数によって変わります。
【０００４】
図１１は基本的な５枚組の口腔内規格写真の１例を示す。図１１において、写真内の番号は撮影順序を示す。この写真の撮影倍率は全て（１／２）倍で一律である。この組写真（口腔内規格写真）は、１番の写真は正面観、２、３番の写真は側方面観、４、５番の写真は歯合面観のあり、５部位の写真から構成されている。なお、４、５番目の写真はミラーを用いたミラー撮影による写真である。
【０００５】
従来の口腔内規格写真の撮影は、以下の順序で行われている。
先ず、患者をユニットの上に乗せ、ユニットの高さを調整し、患者の顔が略３０度起き上がるようにバックシートの角度を調整する。照明はユニットライトで患者の顔面の左側上方、顔面の真上の２方向から照らす。次に撮影者はカメラの撮影倍率を設定する。撮影倍率設定後、撮影に便宜な位置に立ち、カメラのファインダをのぞきながらピントが合うまで撮影者の上体を前方又は後方に移動させながら目視でピントを合わせる。口腔内規格写真の撮影は自動的にピントを合わせるオートフォーカス撮影は使われていないためである。ピントが合ったときに、撮影画像が中央に来るように上下左右の位置を修正し、傾きを修正してシャッターを切る。
【発明の開示】
【発明が解決しようとする課題】
【０００６】
上述したように、従来の口腔内写真の撮影ではピント合わせの他に正中を画面中央に配置し、歯合面をファインダ線と水平にし、左右の頬粘膜の隙間をそろえて、正中からの左右の歯数が同数になる位置にするなどの作業が必要で、美しく診断に役立つ口腔内規格写真を撮影するためには熟練が必要であった。さらに、撮影に長時間を要すると患者の苦痛も大きくなり、患者の了解が得られ難くなるという課題もあった。
本発明は、上記事実に鑑みなされたものであり、高度の熟練を必要としないで口腔内規格写真を撮影するための撮影カメラを提供することを課題とする。
【課題を解決するための手段】
【０００７】
本発明は上記の課題を解決するための手段として以下の構成を採用している。即ち、
請求項１に記載の発明は、口腔内規格写真を撮影するディジタルカメラにおいて、前記口腔内規格写真の組写真の各撮影部位の撮影画像を該ディジタルカメラの表示装置に表示すると共に、前記撮影部位の撮影に適した指標を該表示装置に重畳表示可能にしたことを特徴とする。
本発明に依れば、撮影対象の大きさや位置等の写真の構成図が撮影時に容易にチェックできるので、高度の熟練を必要とせず、各撮影部位の撮影が容易になるという効果が得られる。更に、オートフォーカス付きのカメラでは、表示装置の撮影画像を指標に合わせることにより略所定の撮影倍率の写真を容易に撮影することができるという効果が得られる。
【０００８】
請求項２に記載の発明は、請求項１に記載の発明において、前記指標は口腔内規格写真に要請される要件を満たし、前記口腔内規格写真の撮影を容易にするための指標であって、水平線、垂直線、又は半楕円形状の曲線等の線分で構成される指標からなることを特徴とする。
【０００９】
請求項３に記載の発明は、請求項１又は請求項２に記載の発明において、前記指標は前記撮影カメラの内部メモリに記録されており、選択手段により選択して表示できることを特徴とする。
【００１０】
請求項４に記載の発明は、請求項１〜請求項３に記載の発明において、前記撮影カメラに撮影倍率設定手段を設け、前記指標は設定された撮影倍率が一様な倍率となるように指標を拡大又は縮小して表示するように構成したことを特徴とする。
本発明に依れば、撮影倍率の異なる組写真でも表示装置の撮影画像を指標に合わせるだけで撮影が可能になるという効果が得られる。
【００１１】
請求項５に記載の発明は、請求項１に記載の発明において、前記指標は過去に撮影した同一患者の歯の撮影画像であることを特徴とする。
【００１２】
請求項６に記載の発明は、請求項５に記載の発明において、前記指標は外部のメモリに記録されており、無線伝送して前記表示装置に表示することを特徴とする。
【００１３】
請求項７に記載の発明は、請求項１〜請求項６に記載の発明において、前記カメラで撮影された写真データは外部の計算機に無線送信されることを特徴とする。
【００１４】
請求項８に記載の発明は、請求項１〜請求項７に記載の発明において、前記指標は組写真の撮影順番に合わせて表示するようにしたことを特徴とする。
本発明に依れば、撮影作業が円滑に短時間で行うことができるという効果が得られる。
【発明の効果】
【００１５】
本願の発明に依れば、口腔内規各写真の組写真の撮影において、撮影対象の大きさや位置等の写真の構成図が撮影時に容易にチェックできるので、高度の熟練を必要とせず、各撮影部位の撮影が容易になるという効果が得られる。
【発明を実施するための最良の形態】
【００１６】
以下本発明の実施形態を図に基づいて説明する。なお、図５で示した組の写真数が５枚である基本的なケースについて説明する。写真数が９枚、１２枚、１４枚及びその他の場合についても同様にして構成することができる。
図１（Ａ）は本願発明を実施した撮影カメラ１０の実施形態の裏面を示す。図１（Ｂ）はモード選択ダイヤルの１実施例を示し、図１（Ｃ）は選択ボタンの１実施例を示す。図１（Ａ）〜（Ｃ）において、１１は液晶表示部で、ファインダ１２から見える被写体の画像と、モード選択ダイヤル１３と選択ボタン１５で選択された指標とが重畳した画像が液晶表示部１１に表示される。１４はシャッタボタンで、中央の凹んだ部分にネジが切ってありレリーズも接続可能である。
【００１７】
図１において、モード選択ダイヤル１３には組写真の枚数、撮影倍率、指標等を選択することができる。選択ボタン１５はモード選択ダイヤルと組み合わせて以下の様に使用する。例えば、モード選択ダイヤルで「枚数」を選択すると組の写真枚数が液晶表示部１１の適宜の部位に表示され、右ボタン１５ａを１回押すと枚数が「１」だけ増加し、左ボタンを１回押すと枚数が「１」だけ減少する。所定の枚数のときに中央の決定ボタン１５ｃを押すと組写真の枚数が決定される。
【００１８】
次に、モード選択ダイヤルで「指標」を選択すると指標が表示される。指標は、最初は「１番目の指標」が液晶表示部１１に表示され、右ボタン１５ａを１回押すと２順番の指標が表示され、（ｎ−１）回押すとｎ番目の指標が表示される。左ボタン１５ｂを１回押すと順番の番号が「１」だけ減少した指標が表示される。決定ボタン１５ｃを押すと表示されている指標が決定される。次に、モード選択ダイヤルで「倍率」を選択すると撮影倍率の（１／２）又は（１／１．２）が表示される。変更する場合は右ボタン１５ａ又は左ボタン１５ｂを１回押して、決定ボタン１５ｃを押す。変更しない場合は決定ボタン１５ｃを押す。以上の手順により任意の所望の指標を決定し、表示することができる。
【００１９】
撮影カメラ１０は、オートフォーカス付きのカメラを使用する場合について以下に、説明する。液晶表示部１１の表示画像から正確なピント合わせは困難だからである。なお、オートフォーカスの代わりにピントの確度を画像データから算出して液晶表示部１１に表示するようにしたカメラを使用してもよい。
【００２０】
図２及び図３は組の写真枚数が５枚の場合の指標の例を示す。指標は口腔内の撮影部位を的確に規制すると共に設定された撮影倍率をも規制する指標であることが要請される。図２（Ａ）は撮影部位が正面観撮影の場合の指標である。指標は図の白線で示されている。白線２１は正中線で歯の中央を合わせる線である。垂直線２２，２３は歯の左右の枠線である。中央の水平線２４は歯の噛み合わせ面を合わせる線で、水平線２５，２６は歯茎の上縁、下縁を合わせる線で、水平線２７，２８は上下の枠線である。先ず、正中線、噛み合わせ面を合わせるようにし、更に、枠線２２，２３及び２５、２６の内側に適当な隙間が空く様にして、上顎の８本の歯が垂直線２２，２３の中に入るように合わせる。
【００２１】
図２（Ｂ）、（Ｃ）は左（右）側方面観撮影の場合の指標を示し、垂線３１（３２）は歯の前枠を示す線で、垂直線３３（３４）は後枠を示す線である。水平線３５（３６）は噛み合わせを示す線で、水平線３６，３７（３７，３８）は歯茎の上縁、下縁を合わせる線である。図示のように、先ず、噛み合わせ線３５（３６）、歯茎線３７，３８（３９，４０）を合わせ、垂直線３１，３３（３２，３４）の内側に適当な隙間が空く様に配置する。
【００２２】
図３（Ｄ）、（Ｅ）は舌側面、口蓋側面の噛合せ面観撮影の場合の指標を示す。図３（Ｄ）では、指標は正中線を合わせる垂直線４１と歯の位置を合わせるための半楕円曲線４２から構成される。図３（Ｅ）では、指標は正中線を合わせる垂直線４３と歯の位置を合わせるための半楕円曲線４４から構成される。
【００２３】
以上のように指標を線で構成した場合について述べてきたが、過去に撮影した同一患者の歯の撮影画像が有る場合には、撮影画像を指標としても良い。例えば、ＰＣのメモリに同一患者の撮影画像が有る場合には、無線通信等でカメラ内のメモリに転送して、撮影画像を液晶表示部１１に半透明色で表示するようにしてもよい。
【００２４】
図４は口腔内規格写真の各撮影部位の撮影手順を示す。ステップＳ１では、口腔内規格写真を撮る目的に応じて組写真の枚数（組写真の種類）を決定する。ステップＳ２では組写真の各撮影部位の指標を選択、決定する。指標の選択決定はモード選択ダイヤル１３と選択ボタン１５を使用して行う。最初に１番目の撮影部位の指標を選択する。撮影の順番は撮影作業を円滑にするために予め定めておく（図５参照）。ステップＳ３では液晶表示部１１に表示する。ステップＳ４では表示されている指標に口腔内写真の撮影画像の位置合わせ、大きさ合わせを行う。大きさを合わせることによって撮影倍率が既に選んだ所定の倍率に近い倍率となる。ステップＳ５ではシャッター１４（又はレリーズ）を押して撮影する。撮影はオートフォーカスを利用して行う。オートフォーカスを利用すると撮影倍率が多少変化するが、ピントを正確に合わせて写真を鮮明にさせることを優先させる。ステップＳ６では撮影した写真のデータをメモリに記録する。ステップＳ７では組写真の全て（５枚）を撮影したかをチェックし、全てを撮影した場合（Ｙ）は撮影を終了し、全てを撮影していない場合はステップＳ２から同じ作業を繰り返す。終了する場合は全ての写真データをＰＣ等に無線送信して図５に示すような口腔内規格写真を構成し、適宜出力させる。
【００２５】
以上に説明したように、本実施形態によれば、高度の熟練を必要としないで、比較的良好な口腔内規格写真を作成することができる。又、撮影時間を短縮できるので患者に与える苦痛も少なくなる。
以上に本発明の実施形態を図面に基づいて詳述してきたが、本発明の技術的範囲はこれに限られるものではない。
【図面の簡単な説明】
【００２６】
【図１】（Ａ）〜（Ｃ）本願発明を実施した撮影カメラ
【図２】（Ａ）〜（Ｃ）本願実施形態の指標の一部を示す。
【図３】（Ｄ）、（Ｅ）本願実施形態の指標の残りを示す。
【図４】撮影手順を示すフローチャート。
【図５】基本的な口腔内規格写真を示す。
【符号の説明】
【００２７】
１０      撮影カメラ
１１      液晶表示部
１２      ファインダ
１３      モード選択ダイヤル
１５      選択ボタン
【図１】
2010284428.tif 000003
【図２】
2010284428.tif 000004
【図３】
2010284428.tif 000005
【図４】
2010284428.tif 000006
【図５】
2010284428.tif 000007